(57)【要約】【課題】風雨の影響を受けたり、鳥や害虫に悩まされたり、野生動物の被害に遭うことない芝生付きの住宅提供する。【解決手段】一戸建住宅１であり、住宅１内を日照側区分１ａと日陰側区分１ｂとに分け、日照側区分１ａは、その床面を天然の芝生２０で形成してホール４とし、また、その周囲壁２に、少なくとも、出入口扉３０と、内側から外側は透視可能で外側から内側は透視不可能な大型ガラス戸３１によって開閉可能な採光用大型窓２ａを設け、さらに、その屋根３の一部または全部を強化ポリエステル板４０で構成し、日陰側区分１ｂは、少なくとも、和室６０ａや洋室６０ｂである部屋６０、ダイニングキッチン６１およびトイレ６２等をバリアフリーに設けて構成し、日照側区分１ａと日陰側区分１ｂとの間の段差を無くして且つ出入用開閉ドア６９を設ける。【選択図】      図１
2004150155.tif 000002
【特許請求の範囲】
【請求項１】
一戸建住宅（１）であり、住宅内を日照側区分（１ａ）と日陰側区分（１ｂ）とに分け、日照側区分は，その床面を天然の芝生（２０）で形成してホール（４）とし，また，その周囲壁（２）に，少なくとも，出入口扉（３０）と，内側から外側は透視可能で外側から内側は透視不可能な大型ガラス戸（３１）によって開閉可能な採光用大型窓（２ａ）を設け，さらに，その屋根（３）の一部または全部を強化ポリエステル板（４０）で構成し、日陰側区分は，少なくとも，和室（６０ａ）や洋室（６０ｂ）である部屋（６０），ダイニングキッチン（６１），トイレ（６２）およびバスルーム（６３）をバリアフリーに設けて構成し、前記日照側区分と日陰側区分との間の段差を無くして且つ出入用開閉ドア（６９）を設けてなる芝生内設住宅。
【請求項２】
一戸建住宅（１）であり、住宅内を日照側区分（１ａ）と日陰側区分（１ｂ）とに分け、日照側区分は，その床面を天然の芝生（２０）で形成してホール（４）とし，また，その周囲壁（２）に，少なくとも，出入口扉（３０）と，内側から外側は透視可能で外側から内側は透視不可能な大型ガラス戸（３１）によって開閉可能な採光用大型窓（２ａ）を設け，さらに，その屋根（３）の一部または全部を強化ポリエステル板（４０）で構成し、日陰側区分は，少なくとも，和室（６０ａ）や洋室（６０ｂ）である部屋（６０），ダイニングキッチン（６１），トイレ（６２）およびバスルーム（６３）をバリアフリーに設けて構成し、前記日照側区分と日陰側区分との間の段差を無くして且つ出入用開閉ドア（６９）を設け、さらに，前記日照側区分に植木（２１）を設けると共に，該日照側区分の前記周囲壁に沿った部分に花壇（２２）を設けてなる芝生内設住宅。
【発明の詳細な説明】
【０００１】
【発明の属する技術分野】本発明は、一戸建住宅内に、床面を天然の芝生で形成したホールを備えた芝生内設住宅に関するものである。
【０００２】
【従来の技術】従来、一戸建住宅においては、芝生を住宅内ではなく屋外の庭に植え込んでいる。
【０００３】
【発明が解決しようとする課題】しかし、この芝生を植え込んだ庭は、屋外であるため、例えば、風雨の影響を受けたり、カラスなどの鳥や、蚊やハエ等の害虫に悩まされたり、さらには、野良犬や野良猫等の野生動物の被害に遭うことが多々ある。また、芝生が、野生動物等によって荒らされてしまうこともある。
【０００４】
本発明はこうした問題に鑑み創案されたもので、風雨の影響を受けたり、鳥や害虫に悩まされたり、野生動物の被害に遭うことなく、芝生のある住宅を提供することを課題とする。
【０００５】
また本発明は、引退後にバリアフリーで、ペットと一緒に生活し、家庭菜園も楽しめる住宅を提供することを課題としている。
【０００６】
【課題を解決するための手段】図１乃至図４を参照して説明する。第一の発明に係る芝生内設住宅は、一戸建住宅１であり、住宅１内を日照側区分１ａと日陰側区分１ｂとに分け、日照側区分１ａは、その床面を天然の芝生２０で形成してホール４とし、また、その周囲壁２に、少なくとも、出入口扉３０と、内側から外側は透視可能で外側から内側は透視不可能な大型ガラス戸３１によって開閉可能な採光用大型窓２ａを設け、さらに、その屋根３の一部または全部を強化ポリエステル板４０で構成し、日陰側区分１ｂは、少なくとも、和室６０ａや洋室６０ｂである部屋６０、ダイニングキッチン６１、トイレ６２およびバスルーム６３をバリアフリーに設けて構成し、前記日照側区分１ａと日陰側区分１ｂとの間の段差を無くして且つ出入用開閉ドア６９を設けてなる。
【０００７】
第二の発明に係る芝生内設住宅は、一戸建住宅１であり、住宅１内を日照側区分１ａと日陰側区分１ｂとに分け、日照側区分１ａは、その床面を天然の芝生２０で形成してホール４とし、また、その周囲壁２に、少なくとも、出入口扉３０と、内側から外側は透視可能で外側から内側は透視不可能な大型ガラス戸３１によって開閉可能な採光用大型窓２ａを設け、さらに、その屋根３の一部または全部を強化ポリエステル板４０で構成し、日陰側区分１ｂは、少なくとも、和室６０ａや洋室６０ｂである部屋６０、ダイニングキッチン６１、トイレ６２およびバスルーム６３をバリアフリーに設けて構成し、前記日照側区分１ａと日陰側区分１ｂとの間の段差を無くして且つ出入用開閉ドア６９を設け、さらに、前記日照側区分１ａに植木２１を設けると共に、該日照側区分１ａの前記周囲壁２に沿った部分に花壇２２を設けてなる。
【０００８】
【発明の実施の形態】本発明に係る芝生内設住宅の実施形態を、図１乃至図４に示す。これは、一戸建住宅１であり、その住宅１内を、南側の日照側区分１ａと北側の日陰側区分１ｂとに、直線状に分けている。
【０００９】
そして、日照側区分１ａは、その床面を天然の芝生２０で形成して広いホール４としている。また、その周囲壁２に、出入口扉３０と、内側から外側は透視可能で外側から内側は透視不可能な大型ガラス戸３１によって開閉可能な採光用大型窓２ａと、複数の小型窓２ｂを設けている。なお、採光用大型窓２ａに、巻上式遮光カーテン３２を設置すると良い。そうすることによって、太陽光の入射を自在に調節することができる。
【００１０】
さらに、その日本瓦葺き製である屋根３の一部を、弱遮光性の強化ポリエステル板４０で構成しており、これにより、太陽光を効果的に採り入れている。またさらに、この日照側区分１ａには、換気設備（換気扇）５０、除湿設備５１およびエアコン設備５２を設けて、生活環境の充実を図っている。
【００１１】
日陰側区分１ｂは、部屋６０（和室６０ａと洋室６０ｂ）、ダイニングキッチン６１、トイレ６２、バスルーム６３および廊下６４をバリアフリーに設けて構成しており、ここで日常の一般的な屋内生活が全て営めるようにしている。
【００１２】
そして、日照側区分１ａと日陰側区分１ｂとの間の段差を無くして、出入用開閉ドア６９を設けている。この出入用開閉ドア６９は、透視板で構成することにより、部屋６０等から芝生２０を眺めることができる。
【００１３】
また、本実施形態においては、日照側区分１ａの南側に複数の植木２１を設けると共に、当該日照側区分１ａの周囲壁２に沿った部分に花壇２２を設け、この花壇２２に種々の草花２３を植えている。これにより、ホール４を、芝生２０と植木２１および花壇２２の草花２３によって、屋外の庭のような雰囲気とすることができる。
【００１４】
この芝生内設住宅は、室内を日照側区分１ａと日陰側区分１ｂとに分け、日照側区分１ａの床面を芝生２０で形成した広いホール４としているので、当該ホール４で芝生２０の生活を楽しむことができる。
【００１５】
その際、この芝生２０のホール４は室内であるので、カラスなどの鳥や、蚊やハエ等の害虫に悩まされたり、野良犬や野良猫等の野生動物の侵入による被害を被ったりすることがない。また、こられ野生動物によって芝生２０が荒らされることもない。従って、安心して芝生２０の生活を楽しむことができる。
【００１６】
【発明の効果】老後のセカンドハウスとしてペット（犬・猫）と共同生活をするために提供する住宅である。人間は元来、洞窟等で土の上で生活をしていたのである。屋内で芝を植えることで、ペットも喜び、大変健康的な生活が出来る。又、芝生も年中青々とし、緑を楽しむことができる。芝生の一部を花壇として花を植え、又ネギ，パセリ等の野菜を植え楽しむこともできる。（温室効果のため）。
【００１７】
請求項１に記載の芝生内設住宅は、室内を日照側区分１ａと日陰側区分１ｂとに分け、日照側区分１ａの床面を芝生２０で形成した広いホール４としているので、このホール４で、風雨の影響を受けず、また、鳥や害虫に悩まされたり、野生動物の侵入による被害を被ったりすることなく、また、芝生２０がこれら野生動物等によって荒らされることもない。
【００１８】
請求項２に記載の芝生内設住宅は、さらに、日照側区分１ａに植木２１を設けると共に、当該日照側区分１ａの周囲壁２に沿った部分に花壇２２を設けているので、ホール４を、芝生２０と植木２１および花壇２２の草花２３によって、屋外の庭のような雰囲気とすることができる。これにより、芝生２０の生活をより楽しくすることができる。
【図面の簡単な説明】
【図１】本発明に係る芝生内設住宅の実施形態を示す屋内平面図である。
【図２】図１のＡ部における縦断面図である。
【図３】本発明に係る芝生内設住宅の実施形態を示す正面図である。
【図４】本発明に係る芝生内設住宅の実施形態を示す側面図である。
【符号の説明】
１        住宅
１ａ      日照側区分
１ｂ      日陰側区分
２        周囲壁
２ａ      採光用大型窓
２ｂ      小型窓
３        屋根
４        ホール
２０      芝生
２１      植木
２２      花壇
２３      草花
３０      出入口扉
３１      大型ガラス戸
３２      巻上式遮光カーテン
４０      強化ポリエステル板
５０      換気設備
５１      除湿設備
５２      エアコン設備
６０      部屋
６０ａ    和室
６０ｂ    洋室
６１      ダイニングキッチン
６２      トイレ
６３      バスルーム
６４      廊下
６９      出入用開閉ドア
【図１】
2004150155.tif 000003
【図２】
2004150155.tif 000004
【図３】
2004150155.tif 000005
【図４】
2004150155.tif 000006